(57)【要約】【課題】石膏ボードを薄鉄板に取り付ける際に、ネジ山が破損することがなく、かつ、容易に速く、軽くねじ込むことができて、作業性がよく、かつ、引き抜き耐力が強いネジを提供すること。【解決手段】ネジの軸部には、ネジ山の前面と後面の中心線に対する角度が５０゜〜７０゜の急な傾きである第１のネジ山が、先細部には、前面の先細部の輪郭線に対する角度が１０゜〜３０゜の鋭い傾きであり、後面の先細部の輪郭線に対する角度が６０゜〜８０゜の急な傾きである第２のネジ山を形成する。【選択図】図１
0003121744.tif 000002
【実用新案登録請求の範囲】
【請求項１】
頭部と、
この頭部に連なる円柱状の軸部と、
この軸部から先端に向けて連なる先細部と、
上記軸部の外周に設けられた第１のネジ山と、
上記第１のネジ山に連なるとともに、上記先細部の外周に設けられた第２のネジ山とを備え、
上記軸部の中心線を含む断面において、上記第１のネジ山の前面の上記中心線に対する傾きは５０゜〜７０゜であり、かつ、上記第１のネジ山の後面の上記中心線に対する傾きは５０゜〜７０゜であり、
上記第２のネジ山の前面の上記先細部の輪郭線に対する傾きは１０゜〜３０゜であり、かつ、上記第２のネジ山の後面の上記中心線に対する傾きは６０゜〜８０゜であることを特徴とするネジ。
【請求項２】
請求項１のネジにおいて、上記第２のネジ山の前面にセレーションを設けていることを特徴とするネジ。
【考案の詳細な説明】
【技術分野】
【０００１】
この考案は、例えば、石膏ボード等の軟質材を薄鉄板、木材、ステンレス等の硬質部材に固定するため等に用いるネジに関する。
【背景技術】
【０００２】
従来より、ネジとしては、頭部と、この頭部に連なる円柱状の軸部と、この軸部から先端に向けて連なる先細部とを備え、この軸部および先細部との外周にはネジ山を螺旋状に設けたものがある。このネジ山のピッチおよび厚さは軸部と先細部において同じである。また、上記ネジ山の前面および後面の軸部の中心線に対する傾きは同じである（特許文献１：特開２００１−２７２１３号の図８を参照）。
【０００３】
ところで、この従来のネジを用いて、薄鉄板に石膏ボートを固定すると、薄鉄板にネジが食い込む箇所で、先細部のネジ山が剥がれたり、倒れたりして、ネジが破損してしまい、薄鉄板に石膏ボートを固定できなくなる場合があるという問題がある。
【０００４】
また、このようなネジの破損を防止するために、ネジ山の厚さを十分に厚くすると、石膏ボートに対するネジの固定力が弱くなるという問題がある。
【０００５】
また、上記従来のネジは、ネジ山の傾きが、軸部および先細部とも同じであるため、薄鉄板にねじ込み難くて、作業性が悪いという問題がある。
【特許文献１】特開２００１−２７２１３号公報  図８
【考案の開示】
【考案が解決しようとする課題】
【０００６】
そこで、この考案の課題は、石膏ボード等の軟質部材を薄鉄板等の硬質部材に固定するために用いても、ネジが破損することがなく、かつ、軟質部材に対する固定力が強く、しかも、硬質部材に対して容易に速く、軽くねじ込むことができて作業性がよく、疲れないネジを提供することにある。
【課題を解決するための手段】
【０００７】
上記課題を解決するため、この考案のネジは、
頭部と、
この頭部に連なる円柱状の軸部と、
この軸部から先端に向けて連なる先細部と、
上記軸部の外周に設けられた第１のネジ山と、
上記第１のネジ山に連なるとともに、上記先細部の外周に設けられた第２のネジ山とを備え、
上記軸部の中心線を含む断面において、上記第１のネジ山の前面の上記中心線に対する傾きは５０゜〜７０゜であり、かつ、上記第１のネジ山の後面の上記中心線に対する傾きは５０゜〜７０゜であり、
上記第２のネジ山の前面の上記先細部の輪郭線に対する傾きは１０゜〜３０゜であり、かつ、上記第２のネジ山の後面の上記中心線に対する傾きは６０゜〜８０゜であることを特徴としている。
【０００８】
上記構成によれば、上記軸部の中心線を含む断面において、上記第２のネジ山の前面の上記先細部の輪郭線に対する傾きは１０゜〜３０゜であり、かつ、上記第２のネジ山の後面の上記中心線に対する傾きは６０゜〜８０゜であり、上記第２のネジ山の前面の傾きが小さく、第２のネジ山の底部が厚いから、第２のネジ山は丈夫であり、薄鉄板等の硬質部材にネジが貫入するとき、第２のネジ山が剥がれたり、倒れたりして、破損することがない。
【０００９】
また、上記第２のネジ山の前面の傾きが、先細部の輪郭線に対して１０゜〜３０゜で極めて小さいから、薄鉄板等の硬質部材に軽い力で速く、ネジを容易にねじ込むことができる。したがって、このネジは作業性がよい。さらに、上記第２のネジ山の後面の傾きが前面に比べて大きいので、石膏ボード等の切削屑を容易に外側に排出できて、このネジは、石膏ボードおよび薄鉄板等に容易にねじ込むことができる。
【００１０】
さらに、上記第２のネジ山の後面の傾きが前面に比べて大きいので、引き抜き力がかかっても、第２のネジ山の後面が薄鉄板等の硬質部材に確実に引っかかり、大きな引き抜き耐力を得ることができて、ネジが抜けることがない。
【００１１】
また、上記軸部の中心線を含む断面において、上記第１のネジ山の前面の上記中心線に対する傾きは５０゜〜７０゜であり、かつ、上記第１のネジ山の後面の上記中心線に対する傾きは５０゜〜７０゜であり、上記第１のネジ山は、前面および後面が軸部の中心に対して比較的大きな角度で屹立しているので、石膏ボード等の軟質部材にネジ山がくい込み、石膏ボード等の軟質部材を確実強固に保持することができる。
【００１２】
１実施形態では、上記第２のネジ山の前面にセレーションを設けている。
【００１３】
上記実施形態によれば、上記第２のネジ山の前面にセレーションを設けているので、セレーションの切削作用によって、容易にねじ込むことができる。
【考案の効果】
【００１４】
この考案によれば、石膏ボード等の軟質部材を薄鉄板等の硬質部材に固定するために用いても、硬質部材の箇所でネジ山が破損することがなく、かつ、軟質部材に対する固定力が強く、しかも、硬質部材に対して容易に速く、軽くねじ込むことができて作業性がよく、疲れないネジを得ることができる。
【考案を実施するための最良の形態】
【００１５】
図１はこの考案の１実施形態のネジの正面図、図２は上記実施形態のネジの側面図、図３は上記ネジの先細部の断面図である。
【００１６】
図１に示すように、このネジ１は、頭部２と、この頭部２に連なる断面円柱状の軸部３と、この軸部３から先端に向けて連なる略円錐状の先細部４と、上記軸部３の外周に設けられた第１のネジ山５と、上記第１のネジ山５に連なるとともに、上記先細部４の外周に設けられた第２のネジ山６とを備えている。これら頭部２、軸部３および先細部４は、同一の中心線７を有する。
【００１７】
上記頭部２は、軸部３の径よりも大径であり、その端面中央には、図２に示すように、十字形の凹所２ａを穿っている。この凹所２ａの形状は、マイナス形状または四角、六角等穴形状であっても良い。上記頭部２の前面側は、上記軸部３に向けて次第に小径となる湾曲した周壁２ｂを形成している。
【００１８】
上記軸部３は、円柱形状をしており、その軸部３の外周には第１のネジ山５を螺旋状に設けている。上記第１のネジ山５は、例えば、転造で形成している。
【００１９】
上記軸部３の中心線７を含む断面において、上記第１のネジ山５の前面５１の中心線７に対する傾きは５０゜〜７０゜であり、かつ、上記第１のネジ山５の後面５２の上記中心線７に対する傾きは５０゜〜７０゜である。
【００２０】
上記先細部４の外周には、螺旋状に第１のネジ山５に連なる第２のネジ山６を螺旋状に設けている。上記先細部４の頂角は２６゜＋  ５゜の範囲、つまり２１゜〜３１゜となっている。上記第２のネジ山６も転造加工で形成している。上記第２のネジ山６の断面形状は、図３に示すように、上記第２のネジ山６の前面６１の上記先細部４の輪郭線８に対する傾きは１０゜〜３０゜であり、かつ、上記第２のネジ山６の後面６２の上記中心線７に対する傾きは６０゜〜８０゜である。つまり、上記第２のネジ山６の前面６１の傾きは後面６２の傾きに比べて鋭くなっている。また、上記第２のネジ山６の先細部４の外周面に接する軸方向の長さ、つまり、第２のネジ山６の底部の厚さは、第１のネジ山５の厚さよりも厚くなっている。こうして、上記ネジ１を薄鉄板にねじ込んだとき、第２のネジ山６が剥がれたり、倒れたりすることがないようにしている。
【００２１】
次に、上記ネジ１の使用状態を、図５、図６に基づいて説明する。図５は軟質部材の一例としての石膏ボード１０を硬質部材の一例としての薄鉄板にネジ１で固定する説明図である。図６はネジ１が薄鉄板を貫通している状態を説明する図である。
【００２２】
図５および６に示すように、まず、薄鉄板１１に石膏ボード１０をあてがう。次に、上記ネジ１を石膏ボード１０の表面に立てて、上記ネジ１の頭部２の凹所２ａに回転工具の先端を係合して軸力を付与しながら回転させる。すると、上記先細部４が石膏ボード１０ねじ込められ、上記第２のネジ山６によって上記石膏ボード１０の石膏を側方に圧縮して上記第２のネジ山６の回転軌跡としての溝を形成する。この回転軌跡溝に沿って上記第１のネジ山５が回転して、上記ネジ１が前進する。上記ネジ１の先細部４の先端が薄鉄板１１に達し、さらに、上記ネジ１を回転しながら前進させると、上記先端が薄鉄板１１にくい込み貫通する。さらに、上記ネジ１に回転させながら前進させると、この貫通穴１１ａは、上記第２のネジ山６の傾き鋭い前面６１によって押し広げられつつ、下側にめくれつつ、上記貫通穴１１ａの周縁が、周縁の一部に上記第２のネジ山６の通過する切欠きを形成し、第２のネジ山６の螺旋角度に等しくひねった状態に変形する。上記貫通穴１１ａの周縁の一部に切欠きを形成することで、上記貫通穴１１ａの大きさは２つの第２のネジ山６に挟まれた谷部６４の径に形成され、ネジ１に引き抜き力が作用したとき、上記第２のネジ山６の後面６２が上記貫通穴１１ａの周辺に係り、ネジ１の引き抜き抵抗が増大する。
【００２３】
また、上記第２のネジ山６の前面６１の傾きが小さく、第２のネジ山６の底部が厚いから、第２のネジ山６は丈夫であり、薄鉄板１１に第２のネジ山６が貫入するとき、第２のネジ山６が剥がれたり、倒れたりすることがない。
【００２４】
また、上記第２のネジ山６の前面６１の傾きが極めて小さいから、薄鉄板１１に軽い力で、このネジ１を容易にねじ込むことができる。したがって、このネジ１は作業性がよい。さらに、上記第２のネジ山６の後面６２の傾きが前面６１に比べて大きいので、石膏ボード１０の切削屑を容易に外側に排出できて、このネジは、石膏ボード１０および薄鉄板１１に容易にねじ込むことができる。
【００２５】
さらに、上記ネジ１ねじ込むと、上記軸部５の第１のネジ山５の前面５１および後面５２が軸部５の中心線に対して比較的大きな角度で屹立しているので、石膏ボード１０に第１のネジ山５がくい込み、石膏ボード１を確実強固に保持することができる。
【００２６】
さらに、上記ネジ１を締め終わった状態では、第２のネジ山６の後面６２の傾きが前面６１に比べて大きいので、引き抜き力が作用したとき、この第２のネジ山６の後面６２が薄鉄板１１に引っかかり、大きな引き抜き耐力を得ることができて、ネジ１が抜けることがない。
【００２７】
図４は、他の実施形態をしめす、先の実施形態と同一構成部は、同一参照番号を付して説明を省略し、異なる構成部のみを以下に説明する。
【００２８】
図４に示すように、第２のネジ山６の前面の傾斜面６１に、鋸歯状のセレーション６５を設けて、薄鉄板等の硬質部材に容易にこのネジをねじ込むことができるようにしている。こうして、作業性を向上している。
【図面の簡単な説明】
【００２９】
【図１】この考案の１実施形態のネジの正面図である。
【図２】上記実施形態のネジの端面を示す側面図である。
【図３】ネジの先細部の断面図である。
【図４】他の実施形態のネジを示す正面図である。
【図５】石膏ボードを薄鉄板にネジで固定する説明図である。
【図６】ネジが薄鉄板を貫通する状態を説明する図である。
【符号の説明】
【００３０】
１  ネジ
２  頭部
３  軸部
４  先細部
５  第１のネジ山
６  第２のネジ山
１０  石膏ボード  
１１  薄鉄板
５１  第１のネジ山の前面
５１  第１のネジ山の後面
６１  第２のネジ山の前面
６２  第２のネジ山の後面
【図１】
0003121744.tif 000003
【図２】
0003121744.tif 000004
【図３】
0003121744.tif 000005
【図４】
0003121744.tif 000006
【図５】
0003121744.tif 000007
【図６】
0003121744.tif 000008